(57)【要約】【課題】オーバーフロー管内に補給水を好適に導くことのできる洗浄水タンク装置を提供する。【解決手段】洗浄水タンク装置１０は、洗浄水を貯水するロータンク１１と、ロータンク１１内に立設されたオーバーフロー管１４と、ロータンク１１内に洗浄水を吐水するための洗浄水吐水部２３と、オーバーフロー管１４内に補給水を吐水するための補給水吐水部２４とを有するボールタップ１２とを備える。オーバーフロー管１４は、補給水吐水部２４からの補給水を受けるための補給水受け部３０と、補給水受け部３０で受けた補給水を便器に導く管本体部３２とを備える。【選択図】図５
2015190230.tif 000002
【特許請求の範囲】
【請求項１】
洗浄水を貯水するタンクと、
前記タンク内に立設されたオーバーフロー管と、
前記オーバーフロー管内に補給水を吐水するための補給水吐水部と、
を備え、
前記オーバーフロー管は、
前記補給水吐水部からの補給水を受けるための補給水受け部と、
前記補給水受け部で受けた補給水を便器に導く管本体部と、
を備えることを特徴とする洗浄水タンク装置。
【請求項２】
前記管本体部は、その軸心が補給水吐水部からの補給水の吐水方向から外れるように配置されていることを特徴とする請求項１に記載の洗浄水タンク装置。
【請求項３】
前記補給水受け部は、前記補給水吐水部からの補給水の吐水方向に対して傾斜した傾斜面を有することを特徴とする請求項１または２に記載の洗浄水タンク装置。
【請求項４】
前記補給水受け部は、前記管本体部上端の開口を前記補給水吐水部側に拡大するよう形成されることを特徴とする請求項１から３のいずれかに記載の洗浄水タンク装置。
【請求項５】
タンク内に設けられるオーバーフロー管であって、
補給水を受けるための補給水受け部と、
前記補給水受け部で受けた補給水を便器側に導く管本体部と、
を備えることを特徴とするオーバーフロー管。
【発明の詳細な説明】
【技術分野】
【０００１】
本発明は、便器の洗浄水を内部に収容する洗浄水タンク装置に関し、特にロータンク内にオーバーフロー管を備える洗浄水タンク装置に関する。
【背景技術】
【０００２】
洗浄水タンク装置には、通常、ロータンク内にオーバーフロー管が設けられる。このオーバーフロー管は、便器につながっており、ボールタップ１２が故障した際にロータンク１１内の水を便器に流し、ロータンク外に水があふれるのを防ぐ役割を有する。
【０００３】
従来より、便器の排水トラップ部分の封水切れを防止するために、オーバーフロー管内にボールタップから補給水が供給されるように構成された洗浄水タンク装置が知られている（例えば特許文献１参照）。
【先行技術文献】
【特許文献】
【０００４】
【特許文献１】特開２００２−１６７８３７号公報
【発明の概要】
【発明が解決しようとする課題】
【０００５】
上記のようなオーバーフロー管内に補給水が供給されるタイプの洗浄水タンク装置では、補給水の勢いが強い場合にオーバーフロー管から補給水がはみ出たり、着水音が大きくなる可能性がある。
【０００６】
本発明は、このような課題に鑑みてなされ、その目的は、オーバーフロー管内に補給水を好適に導くことのできる洗浄水タンク装置およびオーバーフロー管を提供することにある。
【課題を解決するための手段】
【０００７】
上記課題を解決するために、本発明のある態様の洗浄水タンク装置は、洗浄水を貯水するタンクと、タンク内に立設されたオーバーフロー管と、オーバーフロー管内に補給水を吐水するための補給水吐水部とを備える。オーバーフロー管は、補給水吐水部からの補給水を受けるための補給水受け部と、補給水受け部で受けた補給水を便器に導く管本体部とを備える。
【０００８】
この態様によると、単に管状のオーバーフロー管を設けた場合と比較して、補給水吐水部からの補給水を確実に受けることができ、また着水音を小さくすることができる。
【０００９】
管本体部は、その軸心が補給水吐水部からの補給水の吐水方向から外れるように配置されていてもよい。この場合、管本体部の軸心が補給水吐水部からの補給水の吐水方向と一致している場合と比較して、着水音を小さくすることができる。
【００１０】
補給水受け部は、補給水吐水部からの補給水の吐水方向に対して傾斜した傾斜面を有してもよい。この場合、傾斜面と補給水がスムーズに拡散するため、補給水の飛散が防止され、また着水音をより小さくすることができる。
【００１１】
補給水受け部は、管本体部上端の開口を補給水吐水部側に拡大するよう形成されてもよい。この場合、タンクの小型化を図ることができる。
【００１２】
本発明の別の態様は、オーバーフロー管である。このオーバーフロー管は、タンク内に設けられ、補給水を受けるための補給水受け部と、補給水受け部で受けた補給水を便器側に導く管本体部とを備える。
【００１３】
この態様によるオーバーフロー管を洗浄水タンク装置に適用した場合、単に管状のオーバーフロー管を適用した場合と比較して、補給水を確実に受けることができ、また着水音を小さくすることができる。
【発明の効果】
【００１４】
本発明によれば、オーバーフロー管内に補給水を好適に導くことのできる洗浄水タンク装置およびオーバーフロー管を提供できる。
【図面の簡単な説明】
【００１５】
【図１】本発明の実施形態に係る洗浄水タンク装置が用いられるトイレユニットを示す斜視図である。
【図２】本発明の実施形態に係る洗浄水タンク装置を説明するための斜視図である。
【図３】洗浄水タンク装置の上面図である。
【図４】図３に示す洗浄水タンク装置のＡ−Ａ断面図である。
【図５】図３に示す洗浄水タンク装置のＢ−Ｂ断面図である。
【図６】洗浄水タンク装置における補給水の流れを説明するための図である。
【発明を実施するための形態】
【００１６】
以下、図面を参照して本発明の実施形態に係る洗
浄水タンク装置について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１７】
図１は、本発明の実施形態に係る洗浄水タンク装置１０が用いられるトイレユニット１００を示す斜視図である。トイレユニット１００は、キャビネット１１０と、便器１２０と、手洗装置１３０を備える。
【００１８】
キャビネット１１０には、洗浄水タンク装置１０が収容されるタンク収納部（図示せず）が設けられ、タンク収納部の前方には前板１１１が設けられる。前板１１１の前方には便器１２０が設置される。前板１１１の左右方向両側には側板１１３が開閉可能に設けられ、側板１１３の奥側には物品収納部（図示せず）が設けられる。キャビネット１１０の上部にはカウンター１１５が設置され、カウンター１１５の左右方向の一端側には手洗装置１３０が設置される。
【００１９】
図２は、本発明の実施形態に係る洗浄水タンク装置１０を説明するための斜視図である。洗浄水タンク装置１０は、サイホン式便器に適したものである。
【００２０】
図２に示すように、洗浄水タンク装置１０は、洗浄水を貯水するロータンク１１と、ロータンク１１内への給水および止水を制御するボールタップ１２と、タンクレバー１３と、ロータンク１１内に立設されたオーバーフロー管１４と、排水弁１７と、排水弁１７に接続された鎖１８と、手洗装置１３０（図１参照）に給水するための給水管１９と、ロータンク１１内に固定された内タンク部２０とを備える。
【００２１】
内タンク部２０は、内タンク本体２１と、水位調整部材２２とを有する。また、ボールタップ１２は、内タンク部２０内に設けられる浮き１５と、該浮き１５と連結されたアーム１６と、ロータンク１１内に洗浄水を吐水するための洗浄水吐水部２３と、オーバーフロー管１４内に補給水を吐水するための補給水吐水部２４とを有する。内タンク部２０は、ロータンク１１内に貯水された水の一部を内部に流入させ、内部に貯まった水で浮き１５を動作させる。浮き１５の動作により、ボールタップ１２によるロータンク１１内への給水および止水が制御される。
【００２２】
洗浄水タンク装置１０において、ロータンク１１内に水が貯まった状態でタンクレバー１３が回されると、これに連動して鎖１８が引き上げられて排水弁１７が開いて水が便器１２０（図１参照）に流れる。
【００２３】
ロータンク１１内の水位が下がると、それに連動して排水弁１７が閉じる。また、水が便器１２０に流れ出てロータンク１１の水位が下がると、内タンク部２０内に設けられた浮き１５も下がり、アーム１６を介してボールタップ１２が開弁して洗浄水吐水部２３から洗浄水がロータンク１１内に供給される。ロータンク１１の水位が上昇すると、水位調整部材２２の上端から内タンク本体２１内へ水が流入する。水位調整部材２２の上端から流入した水は、内タンク本体２１の水位を上げる。内タンク部２０の水位が上がると浮き１５も上がり、アーム１６を介してボールタップ１２が閉弁してロータンク１１内への給水が止まる。
【００２４】
また、ボールタップ１２が開弁した際には、補給水吐水部２４から補給水がオーバーフロー管１４内に供給される。この補給水は、オーバーフロー管１４を通って便器１２０に供給され、１２０内部の排水トラップ部分に供給される。例えばサイホン式便器では、ロータンク１１内に収容された洗浄水を放出して便器洗浄を行ったとき、便器の排水トラップ部分の溜水がサイホン現象によって一挙に下流側に排出される。オーバーフロー管１４を通じて便器内部の排水トラップ部分に補給水を供給することで、排水トラップ部分での封水切れを防止することができる。なお、オーバーフロー管１４は、ボールタップ１２が故障した際に、ロータンク内の洗浄水を便器１２０に排出することで、ロータンク１１外に水があふれるのを防ぐ役割、および寒冷地仕様の洗浄水タンク装置においてはボールタップ１２から常に少量の水をロータンク１１内に入れて巡回させ、便器１２０に排出することで、ロータンク１１内の溜水とボールタップ１２の凍結を防止する役割も有する。
【００２５】
次に本実施形態に係る洗浄水タンク装置１０におけるオーバーフロー管１４について説明する。図３は、洗浄水タンク装置１０の上面図である。図４は、図３に示す洗浄水タンク装置１０のＡ−Ａ断面図である。図５は、図３に示す洗浄水タンク装置１０のＢ−Ｂ断面図である。
【００２６】
図３乃至図５に示すように、オーバーフロー管１４は、補給水吐水部２４からの補給水を受けるための補給水受け部３０と、補給水受け部３０で受けた補給水を便器１２０に導く管本体部３２から構成される。オーバーフロー管１４は、補給水受け部３０が補給水吐水部２４の下側（例えば補給水吐水部２４の直下）に位置するように配置される。
【００２７】
管本体部３２は、軸方向に垂直な断面の形状が円環状のパイプであり、その下端は便器側に連通している。管本体部３２は、ロータンク１１の横幅方向の略中心に立設されている。本実施形態において、管本体部３２は、その軸心Ｃが補給水吐水部２４からの補給水の吐水方向Ｓから外れるように配置されている。
【００２８】
補給水受け部３０は、管本体部３２の上端に形成されている。補給水受け部３０は、管本体部３２の軸心Ｃに対して非対称な漏斗形状を有する。言い換えると、補給水受け部３０は、管本体部３２の軸心Ｃに対して非対称な逆四角錐形状を有する。上面視において、補給水受け部３０の形状は略長方形状である。
【００２９】
補給水受け部３０は、管本体部３２の上端の開口を補給水吐水部２４側に拡大するよう形成されている。その拡大された部分は、補給水吐水部２４からの補給水の吐水方向Ｓに対して傾斜した傾斜面３４とされている。この傾斜面３４は平面であってもよいし、曲面であってもよい。
【００３０】
図６は、洗浄水タンク装置１０における補給水の流れを説明するための図である。洗浄水タンク装置１０においては、補給水吐水部２４から吐水された補給水は、まず傾斜面３４で受けられる。この補給水は傾斜面３４で拡散する。拡散した補給水の一部は傾斜面３４を流れて管本体部３２内に入り、別の一部は傾斜面３４の隣接面３６を流れて管本体部３２内に入る。管本体部３２に流入した補給水は、管本体部３２を通って便器１２０に流れる。
【００３１】
以上説明したように、本実施形態に係る洗浄水タンク装置１０においては、管本体部３２の軸心Ｃが補給水吐水部２４からの補給水の吐水方向Ｓから外れるようにするとともに、管本体部３２の上端に補給水吐水部２４からの補給水を受けるための補給水受け部３０を形成した。管本体部３２の上端の開口を拡大した補給水受け部３０を設けたことにより、単に管状のオーバーフロー管を設けた場合よりも補給水吐水部２４からの補給水を受けやすくなり、補給水を確実に便器側に導くことができる。また、直接管本体部３２に補給水を供給する場合と比較して、着水音を小さくすることができる。
【００３２】
また本実施形態では、補給水受け部３０の一部を補給水吐水部２４からの補給水の吐水方向Ｓに対して傾斜した傾斜面３４とし、該傾斜面３４に最初に補給水が最初に当たるようにした。これにより、補給水が傾斜面３４でスムーズに拡散するため、補給水の飛散が防止され、より確実に補給水を便器側に導くことができる。また、補給水が最初に当たる面を傾斜面３４とすることで、着水音をより小さくすることができる。
【００３３】
また本実施形態では、管本体部３２の上端の開口を拡大した補給水受け部３０を設けたことにより、ボールタップ１２が故障して止水ができなくなった場合に洗浄水を便器側に流すオーバーフロー能力を向上することができる。
【００３４】
また、上記のようにオーバーフロー能力が向上したことにより、補給水吐水部２４とオーバーフロー管１４の上端との間の吐水空間を狭くすることができる。オーバーフロー能力が低い場合、補給水の補給水吐水部２４への逆流を防ぐため、吐水空間を広くとる必要がある。本実施形態によれば、吐水空間を狭くすることで、ロータンク１１の高さを低くすることが可能となる。
【００３５】
また本実施形態では、管本体部３２の上端の開口を補給水吐水部２４側にのみ拡大し、補給水受け部３０を管本体部３２の軸心Ｃに対して非対称な漏斗形状とした。仮に管本体部３２の軸心Ｃに対して対称な通常の漏斗形状を採用した場合、補給水受け部３０が大型化し、ロータンク１１の小型化が難しくなる可能性がある。本実施形態のように補給水受け部３０を管本体部３２の軸心Ｃに対して非対称な漏斗形状とすることで、ロータンク１１の小型化を図ることができる。
【００３６】
上記では、洗浄水を貯水するタンクとしてロータンクを例示したが、タンクはロータンクに限定されず、例えばハイタンクであってもよい。
【００３７】
上記では、サイホン式便器に適した洗浄水タンク装置１０について説明した。しかしながら、上記のオーバーフロー管１４を用いた洗浄水タンクの用途はサイホン式便器に限定されず、例えば洗い落とし式便器にも適用可能である。
【００３８】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３９】
１０  洗浄水タンク装置、  １１  ロータンク、  １２  ボールタップ、  １３  タンクレバー、  １４  オーバーフロー管、  １６  アーム、  １７  排水弁、  １８  鎖、  １９  給水管、  ２０  内タンク部、  ２１  内タンク本体、  ２２  水位調整部材、  ２３  洗浄水吐水部、  ２４  補給水吐水部、  ３２  管本体部、  ３４  傾斜面、  １００  トイレユニット、  １２０  便器。
【図１】
2015190230.tif 000003
【図２】
2015190230.tif 000004
【図３】
2015190230.tif 000005
【図４】
2015190230.tif 000006
【図５】
2015190230.tif 000007
【図６】
2015190230.tif 000008